(57)【要約】      （修正有）【課題】悪臭ガスのうち特にトイレの３大臭気（硫化水素の臭気、アミン系の臭気、メルカプタン系の臭気）の即効的消臭に極めて有効で、かつ消臭効果の持続するトイレ用消臭フィルターを提供する。【解決手段】硫化水素、アミン系、メルカプタン系の臭気に対して即効的消臭能力を有し、消臭効果の持続する消臭フィルターを提供すべく検討を行なった結果、カチオン化処理をした活性炭混抄紙で構成したフィルター基材に金属フタロシアニン錯体と、弱アルカリ性の金属塩と、水溶性の銅化合物とを担持させることによって、３大臭気をワンパス（一回通し）で効率よく吸着分解し、消臭効果の持続するトイレ用消臭フィルターを見出した。【選択図】なし【特許請求の範囲】
【請求項１】
活性炭混抄紙に金属フタロシアニン錯体と、弱アルカリ性の金属塩と、水溶性の銅化合物とを担持させたことに特徴のあるトイレ用消臭フィルター。  
【請求項２】
前記トイレ用消臭フィルターにおいて、金属フタロシアニン錯体を２００〜２００００μｇ／ｇ活性炭混抄紙に担持させた請求項１記載のトイレ用消臭フィルター。
【請求項３】
前記活性炭混抄紙は、活性炭を４０〜８０重量％担持させてなる活性炭混抄紙である請求項１または２記載のトイレ用消臭フィルター。
【請求項４】
前記金属フタロシアニン錯体は、コバルトフタロシアニン錯体、鉄フタロシアニン錯体、マンガンフタロシアニン錯体から選ばれる１種または複数の金属フタロシアニン錯体であることに特徴のある請求項１乃至３記載のトイレ用消臭フィルター。
【請求項５】
前記弱アルカリ性の金属塩は、炭酸カリウム、炭酸ナトリウム、クエン酸三ナトリウム、炭酸水素カリウム、炭酸水素ナトリウムから選ばれる１種または複数のＰＨ８．０〜１２．０の弱アルカリ性の金属塩であることに特徴のある請求項１乃至４記載のトイレ用消臭フィルター。
【請求項６】
前記弱アルカリ性の金属塩を２０〜５００ｍｇ／ｇ活性炭混抄紙に担持させたことに特徴のある請求項１乃至５記載のトイレ用消臭フィルター。
【請求項７】
前記水溶性の銅化合物は、硫酸銅、塩化銅、酢酸銅、ポリアクリル酸銅から選ばれる１種または複数の水溶性の銅化合物であることに特徴のある請求項１乃至６に記載のトイレ用消臭フィルター。
【請求項８】
前記水溶性の銅化合物を１０〜１００ｍｇ／ｇ活性炭混抄紙に担持させたことに特徴のある請求項１乃至７に記載のトイレ用消臭フィルター。
【発明の詳細な説明】
【技術分野】
【０００１】
本発明は、トイレ等のいやな臭を取り除くフィルター材等として使用し、特に硫化水素、アミン系、メルカプタン系の三大臭気を即効的に吸着分解し、その効果の持続するトイレ用消臭フィルターを安価に得るものである。
【背景技術】
【０００２】
消臭フィルターは、様々な用途に利用されており、その消臭方法は大きく分類して活性炭やゼオライト等の吸着材を利用した吸着タイプと、オゾンや光触媒、金属フタロシアニン錯体等により悪臭物質を分解除去する触媒タイプ、あるいはこの吸着タイプと触媒タイプを併用した併用タイプに分けられる。このうち例えば、活性炭の優れた吸着作用を利用した技術がよく知られているが、これらは悪臭成分を吸着し、周辺の臭気濃度を短期的に低下さす働きには優れているが、悪臭成分の量が減少するわけではなく、有効期間に限りのある消臭方法といわれ、最近では悪臭物質を分解除去する触媒タイプあるいは併用タイプのものが多くなっている。
【０００３】
特許文献１においては、金属フタロシアニンとケイ酸塩を組み合わせることにより、メルカプタン等の硫黄化合物やアミン等の窒素化合物に対して相乗的に消臭効果を発揮する消臭組成物が得られるとして開示している。  
【０００４】
特許文献２では、トイレ洗浄装置において、脱臭剤としてＭｎ／Ｃｏ／Ｃｕ及び疎水性ゼオライトの混合物を作成し、硫化水素系の臭気をＭｎ／Ｃｏ／Ｃｕ複合酸化物に吸着させ、アンモニア系の臭気を疎水性ゼオライトに吸着させ、メルカプタン系の臭気をＭｎ／Ｃｏ／Ｃｕ複合酸化物により二硫化ジメチルに転化させた後に疎水性ゼオライトに吸着させることにより、排便時の３大臭気を２種類の吸着剤によって脱臭する技術が開示されている。
【０００５】
また、特許文献３において、４価金属リン酸塩、ケイ酸アルミニウムより選ばれる少なくとも１種の化合物Ａと、水和酸化ジルコニウム、酸化ジルコニウム、酸化亜鉛、塩基性炭酸亜鉛、ハイドロタルサイト化合物もしくはその焼成物、銅イオン、亜鉛イオン又はマンガンイオンの内の、少なくとも１種のイオンを担持させた無機化合物よりなる群より選ばれる少なくとも１種の化合物Ｂとよりなる、消臭組成物を示し、糞尿臭を効率よく消臭する技術を開示している。
【０００６】
【特許文献１】特開２００５−３０４７６３号公報
【特許文献２】特開２００２−２１３０００号公報
【特許文献３】特願２００６−３１６４０１号公報
【発明の開示】
【発明が解決しようとする課題】
【０００７】
しかしながら、これらの従来技術は、トイレの悪臭に特化した消臭剤としては有用な方法ではあるが、例えば、温水便座等の消臭装置のフィルターに使用したときの消臭能力としては未だ満足できるものではなかった。本発明は多くの悪臭ガスのうち特にトイレの３大臭気（硫化水素の臭気、アミン系の臭気、メルカプタン系の臭気）の即効的消臭に極めて有効で、かつ消臭効果の持続するトイレ用消臭フィルターを提供することを課題としている。  
【課題を解決するための手段】
【０００８】
本発明は、硫化水素、アミン系、メルカプタン系の臭気に対して即効的消臭能力を有し、消臭効果の持続する消臭フィルターを提供すべく検討を行なった結果、金属フタロシアニン錯体を、カチオン化処理をした活性炭混抄紙で構成したフィルター基材に担持させ、さらに弱アルカリ性の金属塩と、水溶性の銅化合物とを担持させることによって、３大臭気をワンパス（一回通し）で効率よく吸着分解し、消臭効果の持続するトイレ用消臭フィルターを、安価に簡単に提供できることを見出し、本発明に至ったものである。前記課題を解決するために本発明は以下の手段を提供する。
【０００９】
［１］活性炭混抄紙に金属フタロシアニン錯体と、弱アルカリ性の金属塩と、水溶性の銅化合物とを担持させたことに特徴のあるトイレ用消臭フィルター。
【００１０】
［２］前記トイレ用消臭フィルターにおいて、金属フタロシアニン錯体を２００〜２００００μｇ／ｇ活性炭混抄紙に担持させた前項１記載のトイレ用消臭フィルター。
【００１１】
［３］前記活性炭混抄紙は、活性炭を４０〜８０重量％担持させてなる活性炭混抄紙である前項１または２記載のトイレ用消臭フィルター。
【００１２】
［４］前記金属フタロシアニン錯体は、コバルトフタロシアニン錯体、鉄フタロシアニン錯体、マンガンフタロシアニン錯体から選ばれる１種または複数の金属フタロシアニン錯体であることに特徴のある前項１乃至３記載のトイレ用消臭フィルター。
【００１３】
［５］前記弱アルカリ性の金属塩は、炭酸カリウム、炭酸ナトリウム、クエン酸三ナトリウム、炭酸水素カリウム、炭酸水素ナトリウムから選ばれる１種または複数のＰＨ８．０〜１２．０の弱アルカリ性の金属塩であることに特徴のある前項１乃至４記載の消臭フィルター。
【００１４】
［６］前記弱アルカリ性の金属塩を２０〜５００ｍｇ／ｇ活性炭混抄紙に担持させたことに特徴のある前項１乃至５記載のトイレ用消臭フィルター。
【００１５】
［７］前記水溶性の銅化合物は、硫酸銅、塩化銅、酢酸銅、ポリアクリル酸銅から選ばれる１種または複数の水溶性の銅化合物であることに特徴のある前項１乃至６に記載のトイレ用消臭フィルター。
【００１６】
［８］前記水溶性の銅化合物を１０〜１００ｍｇ／ｇ活性炭混抄紙に担持させたことに特徴のある前項１乃至７に記載のトイレ用消臭フィルター。
【発明の効果】
【００１７】
第１の発明では、金属フタロシアニン錯体と、弱アルカリ性の金属塩と、水溶性の銅化合物とを活性炭混抄紙に担持させるので、ＰＨが７．５〜１２．０の高いＰＨ環境に保たれ、硫化水素ガスのような酸性ガスは、金属フタロシアニン錯体によって分解される。この時硫化水素ガスと金属フタロシアニン錯体が反応して生じる副生成物が、消臭フィルター周囲のＰＨを下げ触媒反応を遅らせてしまうのであるが、弱アルカリ性の金属塩を担持させているので、前記副生成物を前記弱アルカリ性の金属塩が捕捉し、ＰＨの低下を防止することから、消臭効果を持続することができる。また、水溶性の銅化合物を担持しているので、金属フタロシアニン錯体によって分解しきれなかった悪臭を化学吸着することができ、一度該フィルターを通過するだけで、大部分の悪臭を除去することができ、消臭効果の持続したトイレ用消臭フィルターとすることができる。また、アミン系の臭気は活性炭や水溶性の銅化合物に吸着させ、メルカプタン系の臭気は金属フタロシアニン錯体によって副生成物に転化させた後に活性炭に吸着させ、さらに金属フタロシアニン錯体によって分解される。
【００１８】
第２の発明では、金属フタロシアニン錯体を２００〜２００００μｇ／ｇ活性炭混抄紙に担持させているので、活性炭の強力な吸着力によって吸着した臭気を、金属フタロシアニン錯体の酸化力によって消臭することができる。金属フタロシアニン錯体は、光触媒のように担持体を侵すことがなく、バインダー樹脂を介さなくても活性炭混抄紙に直接担持され、消臭剤として非常に有効である。
【００１９】
第３の発明では、前記活性炭混抄紙は活性炭を４０〜８０重量％担持させてあるので十分な吸着効果が得られる。
【００２０】
第４の発明では、前記金属フタロシアニン錯体が、コバルトフタロシアニン錯体、鉄フタロシアニン錯体、マンガンフタロシアニン錯体から選ばれる１種または複数の金属フタロシアニン錯体であるので、十分な消臭効果が得られる。
【００２１】
第５の発明では、前記弱アルカリ性の金属塩は、炭酸カリウム、炭酸ナトリウム、クエン酸三ナトリウム、炭酸水素カリウム、炭酸水素ナトリウムから選ばれる１種または複数のＰＨ８．０〜１２．０の弱アルカリ性金属塩であるので、硫化水素ガスと金属フタロシアニン錯体が反応した時に生じる副生成物を前記弱アルカリ性の金属塩が捕捉し、消臭フィルター周囲のＰＨ値が下がるのを防ぐことができる。
【００２２】
第６の発明では、前記弱アルカリ性の金属塩を２０〜５００ｍｇ／ｇ活性炭混抄紙に担持させているので、消臭フィルター周囲のＰＨ値が下がるのを防ぐことができ、十分な消臭効果を持続することができる。
【００２３】
第７の発明では、前記水溶性の銅化合物は、硫酸銅、塩化銅、酢酸銅、ポリアクリル酸銅から選ばれる１種または複数の水溶性の銅化合物であるので、金属フタロシアニン錯体によって分解しきれなかった硫化水素やメルカプタン系の悪臭を化学吸着することができ、悪臭を一度該フィルターに通過させるだけで、大部分の悪臭を除去することができ、消臭効果の持続したトイレ用消臭フィルターとすることができる。
【００２４】
第８の発明では、前記水溶性の銅化合物を１０〜１００ｍｇ／ｇ活性炭混抄紙に担持させているので、フィルター基材に対して大きな空間速度（ＳＶ値）で、硫化水素やメルカプタン系の悪臭をワンパス条件で作用させた場合でも、効率よく消臭ことができる。（ＳＶ値は、単位時間当たりにフィルター材体積の何倍相当分の悪臭に作用処理しているかを示す値で、ＳＶ値が大きい程、処理量すなわちファン等で送られてくる悪臭を含んだ空気の量が多いことになる。）
【発明を実施するための最良の形態】
【００２５】
本発明の消臭フィルターについて、さらに詳しく説明する。本発明の消臭フィルターを構成する活性炭混抄紙は通常の湿式抄紙法により製造できる。例えば活性炭と天然パルプを水に添加し、水スラリーを作成する。そのスラリーを攪拌しながら所定の固形分濃度に調整し、その後カチオン系ポリマー又はアニオン系ポリマーを添加し、得られた凝集体水分散液を抄紙機を使い湿式抄紙法によりシート化し、乾燥処理を行ない活性炭混抄紙を得る。この活性炭混抄紙をコルゲート加工機を用いハニカム形状に加工しフィルターの形状にする。
【００２６】
この活性炭混抄紙によるハニカムフィルターは活性炭の強い吸着力によって悪臭ガスの吸着体の役割をなすものである。本発明に使用する活性炭としては、椰子殻活性炭、石油ピッチ系球状活性炭、活性炭素繊維、木質系活性炭等の活性炭系炭素多孔質体が、吸着比表面積が非常に高いことから好ましく用いられる。中でも、椰子殻活性炭が好ましい。また、この活性炭混抄紙に使用する繊維は天然パルプ、ポリオレフィン及びアクリル繊維などのフィブリル化繊維を用いればよいが、金属フタロシアニン錯体の担持のし易さからも天然パルプが好ましい。
【００２７】
活性炭混抄紙における活性炭の担持量は、４０〜８０重量％担持させるのが好ましい。４０重量％を下回る活性炭の担持量では、硫化水素ガスの十分な吸着量とならない。また、８０重量％を上回って活性炭を担持させても、十分に大きな吸着量とはならず、活性炭混抄紙の強度も得られず好ましくない。
【００２８】
本発明の消臭フィルターに使われる金属フタロシアニン錯体は、特に限定されるものではないが、例えば鉄フタロシアニン錯体、コバルトフタロシアニン錯体、マンガンフタロシアニン錯体が挙げられる。これらの中でもコバルトフタロシアニン錯体、または鉄フタロシアニン錯体を用いるのが好ましい。前記コバルトフタロシアニン錯体としては、特に限定されるものではないが、例えばコバルトフタロシアニンポリスルホン酸ナトリウム、コバルトフタロシアニンオクタカルボン酸、コバルトフタロシアニンテトラカルボン酸等が挙げられる。前記鉄フタロシアニン錯体としては、鉄フタロシアニンテトラカルボン酸、鉄フタロシアニンオクタカルボン酸等が挙げられる。
【００２９】
金属フタロシアニン錯体を活性炭混抄紙に担持する前に、活性炭混抄紙をカチオン化処理することが望ましい。これは、金属フタロシアニン錯体の担持量を増大するための処理で、カチオン化処理は活性炭混抄紙の化学構造中にカチオン基を導入付与し得るものであればどのような処理であっても良いが、中でも４級アンモニウム塩によりカチオン化処理が行われるのが好ましい。この場合には、金属フタロシアニン錯体の担持量をより増大させることができる利点がある。前記４級アンモニウム塩としては、例えば３―クロロ―２−ヒドロキシプロピルトリメチルアンモニウムクロライド、グリシジルトリメチルアンモニウムクロライド、３―クロロ―２−ヒドロキシプロピルトリメチルアンモニウムクロライドの縮合ポリマー等が挙げられる。
【００３０】
金属フタロシアニン錯体を活性炭混抄紙に担持する量としては、２００〜２００００μｇ／ｇ活性炭混抄紙に担持させることが好ましい。２００μｇ／ｇを下回ると、悪臭ガスの分解能力が劣るものとなり、２００００μｇ／ｇを上回るものとしても、それ以上の悪臭ガスの分解能力の向上は得られない。より好ましくは、４００〜２０００μｇ／ｇである。
【００３１】
前記カチオン化処理された活性炭混抄紙によるハニカムフィルターを水洗し乾燥したあと、金属フタロシアニン錯体と水酸化ナトリウムとを含んだアルカリ水溶液に含浸させ、水洗し乾燥して高いＰＨ環境の消臭フィルターを得る。この時のＰＨ値は７．５〜１２．０が好ましく、ＰＨ値が７．５を下回ると硫化水素やメルカプタン等の酸性ガスのプロトン解離が起こりにくくなり（下記可逆反応が左に傾き）、金属フタロシアニン錯体と触媒反応をする化学種の生成速度が著しく低下することになる。また、ＰＨ値が１２．０を上回ると金属フタロシアニン錯体が分解して触媒としての作用が失われる。より好ましいＰＨ値は８．０〜１１．５である。
【化１】
2011025118.tif 000002
【００３２】
次に前記の高いＰＨ環境の消臭フィルターを弱アルカリ性の金属塩水溶液と水溶性の銅化合物の水溶液に含浸させ、乾燥して本発明の消臭フィルターを得る。該弱アルカリ性の金属塩は特に限定されるものではないが、水に対する溶解度が高いものが望ましい。水酸化カルシウムや炭酸マグネシウムなどは水に対する溶解度が非常に小さいことから、活性炭混抄紙への担持量も必然的に少なくなり好ましくない。また、弱アルカリ性の金属塩は不揮発性の弱酸とアルカリ金属の化合物であることが望ましい。このことは、硫化水素と金属フタロシアニン錯体が触媒反応をする際に発生する副生成物は酸性の化学種であることから、該副生成物と前記弱アルカリ性金属塩が吸着反応をしたときに弱酸が遊離し、該弱酸が悪臭となるような揮発性の金属塩、例えば酢酸ナトリウムなどは好ましくない。一方炭酸のアルカリ金属塩は、遊離した炭酸が速やかに水とニ酸化炭素に分解されるので好ましい。また、不揮発性であるが価数の高い弱酸のアルカリ金属塩、例えばクエン酸三ナトリウムは、１分子あたりに副生成物を吸着できる量が多いので好ましい。弱アルカリ性の金属塩水溶液は、炭酸カリウム、炭酸ナトリウム、クエン酸三ナトリウム、炭酸水素カリウム、炭酸水素ナトリウムから選ばれる１種または複数の弱アルカリ性の金属塩を水に溶解させたものが好ましい。
【００３３】
弱アルカリ性の金属塩の担持量は２０〜５００ｍｇ／ｇ活性炭混抄紙とするのがよい。２０ｍｇ／ｇを下回ると硫化水素ガスを消臭する繰返し耐久性が低下するので好ましくない。５００ｍｇ／ｇを上回って担持すると、活性炭の細孔が塞がれてしまい吸着性能が低下したり、金属フタロシアニン錯体の周囲を弱アルカリ性の金属塩が覆ってしまい触媒作用が低下することになり好ましくない。より好ましくは５０〜２００ｍｇ／ｇとするのがよい。弱アルカリ性の金属塩のＰＨ値は８．０〜１２．０が好ましい。ＰＨ値が８．０より低いと副生成物との反応性が低下するので好ましくない。また、ＰＨ値が１２．０より高いと金属フタロシアニン錯体を分解するので好ましくない。
【００３４】
また、水溶性の銅化合物としては、硫酸銅、塩化銅、酢酸銅、ポリアクリル酸銅から選ばれる１種または複数の水溶性の銅化合物が好ましい。水溶性の銅化合物は、硫化水素やメルカプタン系の悪臭を強力に化学吸着することができ、悪臭を一度該フィルターに通過させるだけで、大部分の悪臭を除去することができる。水溶性の銅化合物の担持量は、１０〜１００ｍｇ／ｇ活性炭混抄紙が好適である。水溶性の銅化合物は、フィルター基材に対して大きな空間速度（ＳＶ値）を形成し、硫化水素やメルカプタン系の悪臭をワンパス条件で作用させた場合でも、効率よく消臭ことができる。本発明では、ＳＶ値は１００，０００〜２５０，０００［Ｈ−１］が好適である。
【００３５】
また、本発明の消臭フィルターにおいて、本発明の効果を損なわない範囲で、前記活性炭混抄紙にさらに他の消臭剤や臭気吸着剤や添加剤等を担持せしめた構成を採用しても良い。他の消臭剤としては例えばヒドラジン誘導体やポリビニルアミン化合物を例示できる。また、臭気吸着剤としては、活性炭の他に、ゼオライト等の多孔質無機物質を例示できる。
【００３６】
次ぎに実施例により、本発明を具体的に説明する。なお実施例における硫化水素ガス、アミン系、メルカプタン系のガスの消臭性能の測定は次のように行った。
（硫化水素ガス消臭性能）
消臭フィルターから切り出した試験片（５０ｍｍ×３０ｍｍ  厚さ３０ｍｍ  セル密度３００セル／ｉｎｃｈ２）を、試験片と同じ内寸の角型配管に配置されたサンプルホルダーに固定し、配管の一端から毎分１３５リットル（ＳＶ値＝１８０，０００Ｈ−１）の通気を行なうファンをセットした試験キットの一端から、濃度が５ｐｐｍの硫化水素ガスを断続的にワンパス条件で注入し、一分後の他端から流出する硫化水素ガスの濃度を測定し、この測定値を比較して硫化水素ガスの除去率（％）を算出した。この試験を４時間連続して性能維持試験とした。
【００３７】
（アミン系（アンモニア）ガス消臭性能）
アンモニアガスの濃度を５ｐｐｍとした以外は、硫化水素ガス消臭性能と同様にして、消臭性能と性能維持試験とした。
【００３８】
（メルカプタン系（メチルメルカプタン）ガス消臭性能）
メチルメルカプタンガスの濃度を５ｐｐｍとした以外は、硫化水素ガス消臭性能と同様にして、消臭性能と性能維持試験とした。
【実施例】
【００３９】
＜実施例１＞
椰子殻活性炭７０重量部と天然パルプ３０重量部を水２００重量部に添加し、水スラリーを作成する。得られた凝集体水分散液を抄紙機を使い湿式抄紙法によりシート化し、乾燥処理を行ない活性炭混抄紙を得る。その後得られた活性炭混抄紙を３―クロロ―２−ヒドロキシプロピルトリメチルアンモニウムクロライド水溶液にてカチオン化処理をし乾燥した。次に、この活性炭混抄紙をコルゲート加工機を用いハニカム形状に加工しフィルターの形状にした。次に０．５重量％のコバルトフタロシアニンポリスルホン酸ナトリウムと、１０ｇ／ｌの炭酸カリウムと、２．５ｇ／ｌの硫酸銅水溶液に含浸させ、水洗し乾燥してＰＨ１０．０のフィルターを得る。この時コバルトフタロシアニンポリスルホン酸ナトリウムの活性炭混抄紙への担持量は４００μｇ／ｇで、炭酸カリウムの活性炭混抄紙への担持量は２００ｍｇ／ｇ、硫酸銅の活性炭混抄紙への担持量は５０ｍｇ／ｇであった。上記の硫化水素、アミン系、メルカプタン系のガスの消臭性能の測定をおこない、試験開始直後、２時間後、４時間後のガス除去率を表に記載した。
【００４０】
＜実施例２＞
次に、実施例１において、０．５重量％コバルトフタロシアニンポリスルホン酸ナトリウムと２０ｇ／ｌの炭酸ナトリウムと５ｇ／ｌのポリアクリル酸銅水溶液に含浸させてＰＨ１２．０のフィルターを得た以外は実施例１と同様にして、消臭フィルターを得た。コバルトフタロシアニンポリスルホン酸ナトリウムの活性炭混抄紙への担持量は４００μｇ／ｇで、炭酸ナトリウムの活性炭混抄紙への担持量は４００ｍｇ／ｇ、ポリアクリル酸銅の活性炭混抄紙への担持量は１００ｍｇ／ｇであった。
【００４１】
＜実施例３＞
次に、実施例１において、１．５重量％鉄フタロシアニンテトラカルボン酸と、５ｇ／ｌの炭酸水素ナトリウムと、５ｇ／ｌの硫酸銅水溶液に含浸させてＰＨ１０．０のフィルターを得た以外は実施例１と同様にして、消臭フィルターを得た。鉄フタロシアニンポリスルホン酸ナトリウムの活性炭混抄紙への担持量は１２００μｇ／ｇで、炭酸水素ナトリウムと硫酸銅の活性炭混抄紙への担持量は１００ｍｇ／ｇあった。
【００４２】
＜実施例４＞
次に、実施例１において、椰子殻活性炭３０重量部とした以外は実施例１と同様にして、消臭フィルターを得た。椰子殻活性炭の担持量は５０重量％であった。炭酸水素ナトリウムの活性炭混抄紙への担持量は２００ｍｇ／ｇ、硫酸銅の活性炭混抄紙への担持量は５０ｍｇ／ｇであった。
【００４３】
＜実施例５＞
次に、実施例１において、２０ｇ／ｌの炭酸カリウム水溶液に含浸させ、乾燥して消臭フィルターを作成した以外は実施例１と同様にして、消臭フィルターを得た。この時炭酸カリウムの活性炭混抄紙への担持量は４００ｍｇ／ｇであった。
【００４４】
＜比較例１＞
実施例１において、５０ｇ／ｌの炭酸カリウム水溶液に含浸させずに消臭フィルターを得た以外は実施例１と同様にして、消臭フィルターを得た。
【００４５】
＜比較例２＞
実施例１において、コバルトフタロシアニンポリスルホン酸ナトリウムを担持させないでフィルターとした以外は実施例１と同様にして、消臭フィルターを得た。
【００４６】
＜比較例３＞
実施例１において、硫酸銅を担持させないでフィルターとした以外は実施例１と同様にして、消臭フィルターを得た。
【００４７】
＜比較例４＞
実施例１において、活性炭混抄紙へ活性炭を担持しなかった以外は実施例１と同様にして、消臭フィルターを得た。
【００４８】
【表１】
2011025118.tif 000003
【００４９】
表１、２から解るように、活性炭、金属フタロシアニン錯体、弱アルカリ性の金属塩、水溶性の銅化合物を担持させたフィルターは、３大臭気をワンパス（一回通し）で効率よく吸着分解し、消臭効果の持続するトイレ用消臭フィルターとして有効なものであるが、比較例１〜４のように活性炭、金属フタロシアニン錯体、弱アルカリ性の金属塩、水溶性の銅化合物のうち一つでも欠くと、トイレ用消臭フィルターとして満足のいくものではなかった。
【産業上の利用可能性】
【００５０】
本発明の技術は、トイレ等のいやな臭を瞬間的に取り除く消臭フィルター材等として開発したが、温水便座に用いたり、介護施設等の空気清浄機等のフィルター材としても有効で広く利用される。